(57)【要約】【課題】ビード部の構造を改善して、軽量化および低転がり抵抗化と、操縦安定性、乗心地性、耐カット性とを両立することを可能にした空気入りタイヤを提供する。【解決手段】一対のビード部３のそれぞれに外形側楔形状のビードコア５を設け、一対のビード部３間にカーカス層４を装架し、カーカス層４をトレッド部１から各サイドウォール部２を経て各ビード部３に至る本体部４Ａと、各ビード部３においてビードコア５の周縁に沿って屈曲しながら折り返された折り返し部４Ｂとで構成し、カーカス層４の本体部４Ａと折り返し部４Ｂとで形成された閉鎖領域の面積に占めるゴム占有率を０．１％〜１５％にし、カーカス層４の巻き上げ高さＨをタイヤ断面高さＳＨ１／４以下にし、カーカス層４の本体部４Ａのタイヤ幅方向外側に、有機繊維の糸で構成されてカーカス層４の本体部４Ａに沿って延在する補強層８を設ける。【選択図】図１
2020131873.tif 000002
【特許請求の範囲】
【請求項１】
タイヤ周方向に延在して環状をなすトレッド部と、前記トレッド部の両側に配置された一対のサイドウォール部と、これらサイドウォール部のタイヤ径方向内側に配置された一対のビード部とを備え、各ビード部に設けられたビードコアと、前記一対のビード部間に装架されたカーカス層とを有する空気入りタイヤにおいて、
前記ビードコアは、タイヤ周方向に巻回された少なくとも１本のビードワイヤからなり、子午線断面において前記ビードワイヤの複数の周回部分がタイヤ幅方向に並ぶ少なくとも１つの列とタイヤ径方向に重なる複数の層を形成しており、
子午線断面における前記ビードワイヤの複数の周回部分の共通接線によって形成された多角形を前記ビードコアの外郭形状としたとき、前記外郭形状は、前記外郭形状の最大幅位置よりもタイヤ径方向外側において前記カーカス層に接する前記外郭形状の２辺が鋭角を成す先細り形状を有しており、
前記カーカス層は、前記トレッド部から各サイドウォール部を経て各ビード部に至る本体部と、各ビード部において前記ビードコアの周縁に沿って屈曲しながら折り返されて前記ビードコアのタイヤ径方向外側端の位置から前記本体部に接触しながら各サイドウォール部側に向かって延在する折り返し部とからなり、前記カーカス層の前記本体部と前記折り返し部とで形成された閉鎖領域の面積に対する前記閉鎖領域内に存在するゴムの総面積の比率が０．１％〜１５％であり、
ビードヒールから前記カーカス層の折り返し部の端部までの高さＨがタイヤ断面高さＳＨに対してＨ≦１／４×ＳＨの関係を満たし、
前記カーカス層の本体部のタイヤ幅方向外側に、有機繊維の糸で構成されて前記カーカス層の本体部に沿って延在する補強層を備えることを特徴とする空気入りタイヤ。
【請求項２】
ビードヒールから前記補強層のタイヤ径方向内側端部までの高さＬａが、タイヤ断面高さＳＨに対して、Ｌａ≦１／２×ＳＨの関係を満たすことを特徴とする請求項１に記載の空気入りタイヤ。
【請求項３】
ビードヒールから前記補強層のタイヤ径方向外側端部までの高さＬｂが、タイヤ断面高さＳＨに対して、１／４×ＳＨ≦Ｌｂ≦３／４×ＳＨの関係を満たすことを特徴とする請求項１または２に記載の空気入りタイヤ。
【請求項４】
前記補強層のタイヤ径方向に沿って測定される長さＬｃが３０ｍｍ≦Ｌｃ≦５０ｍｍの関係を満たすことを特徴とする請求項１〜３のいずれかに記載の空気入りタイヤ。
【請求項５】
前記補強層の最大厚さＧａが０．５ｍｍ≦Ｇａ≦１．５ｍｍの関係を満たすことを特徴とする請求項１〜４のいずれかに記載の空気入りタイヤ。
【請求項６】
前記補強層を構成する有機繊維の糸がナイロン６、ナイロン６６、ポリエステル、ポリエチレンテレフタレート、アラミドからなる群から選ばれる１種で構成されていることを特徴とする請求項１〜５のいずれかに記載の空気入りタイヤ。
【請求項７】
前記補強層が、総繊度が３００ｄｔｅｘ〜８００ｄｔｅｘである有機繊維の糸からなる平織シートで構成されていることを特徴とする請求項１〜６のいずれかに記載の空気入りタイヤ。
【発明の詳細な説明】
【技術分野】
【０００１】
本発明は、ビード部の構造を改善してタイヤ重量の軽減を図った空気入りタイヤに関し、更に詳しくは、カーカス層の端部への応力集中に起因する故障を防止し、且つ、サイドウォール部における剛性低下を抑制し、軽量化および低転がり抵抗化と、操縦安定性、乗心地性、耐カット性とを両立することを可能にした空気入りタイヤに関する。
【背景技術】
【０００２】
一般的な空気入りタイヤのビード部には、ビードコアとそのタイヤ径方向外側にビードフィラーが設けられて、これらビードコアおよびビードフィラーの周囲にカーカス層が折り返されている。このような構造の従来のタイヤにおいて、カーカス層の折り返された端部がビードフィラーの近傍に配置されると、タイヤがリム組された際に、カーカス層の端部がリムフランジの近傍に位置することになり、カーカス層の端部に応力が集中して故障が発生する虞れがあった。
【０００３】
一方で、近年、タイヤ重量の軽減が強く求められており、ビードコアの形状を工夫して、ビードフィラーを使用しないタイヤが提案されている（例えば、特許文献１を参照）。このようなタイヤでは、従来のビードフィラーを有さずに特定の形状のビードコアが用いられているため、ビード部からサイドウォール部に亘る領域を薄肉化することができ、タイヤ重量の軽減を図ることができる。また、カーカス層の端部は、トレッド部からサイドウォール部を経てビード部に至るカーカス層の本体部に沿った位置に配置されるので、従来のタイヤに比べれば応力集中による故障も防止することができると推測される。
【０００４】
しかしながら、この構造であっても、カーカス層の端部はビード部やサイドウォール部の外表面の近傍に配置されるため、応力集中による故障を必ずしも充分に防止することはできなかった。また、サイドウォール部の薄肉化に起因する耐ピンチカット性の低下や、サイドウォール部の剛性低下に起因する操縦安定性や乗心地性の低下が懸念されるという問題があった。そのため、ビード部の構造（ビードコアの形状）によってタイヤ重量の軽減や低転がり抵抗化を図るにあたって、カーカス層の端部への応力集中に起因する故障や、操縦安定性や乗心地性能低下や、サイドウォール部におけるピンチカットの発生を抑制するための更なる対策が求められている。
【先行技術文献】
【特許文献】
【０００５】
【特許文献１】特開２０１５‐０２０７４１号公報
【発明の概要】
【発明が解決しようとする課題】
【０００６】
本発明の目的は、ビード部の構造を改善してタイヤ重量を軽減しながら、カーカス層の端部への応力集中に起因する故障を防止し、且つ、サイドウォール部における剛性低下を抑制し、軽量化および低転がり抵抗化と、操縦安定性、乗心地性、耐カット性とを両立することを可能にした空気入りタイヤを提供することにある。
【課題を解決するための手段】
【０００７】
上記目的を達成するための本発明の空気入りタイヤは、タイヤ周方向に延在して環状をなすトレッド部と、前記トレッド部の両側に配置された一対のサイドウォール部と、これらサイドウォール部のタイヤ径方向内側に配置された一対のビード部とを備え、各ビード部に設けられたビードコアと、前記一対のビード部間に装架されたカーカス層とを有する空気入りタイヤにおいて、前記ビードコアは、タイヤ周方向に巻回された少なくとも１本のビードワイヤからなり、子午線断面において前記ビードワイヤの複数の周回部分がタイヤ幅方向に並ぶ少なくとも１つの列とタイヤ径方向に重なる複数の層を形成しており、子午線断面における前記ビードワイヤの複数の周回部分の共通接線によって形成された多角形を前記ビードコアの外郭形状としたとき、前記外郭形状は、前記外郭形状の最大幅位置よりもタイヤ径方向外側において前記カーカス層に接する前記外郭形状の２辺が鋭角を成す先細り形状を有しており、前記カーカス層は、前記トレッド部から各サイドウォール部を経て各ビード部に至る本体部と、各ビード部において前記ビードコアの周縁に沿って屈曲しながら折り返されて前記ビードコアのタイヤ径方向外側端の位置から前記本体部に接触しながら各サイドウォール部側に向かって延在する折り返し部とからなり、前記カーカス層の前記本体部と前記折り返し部とで形成された閉鎖領域の面積に対する前記閉鎖領域内に存在するゴムの総面積の比率が０．１％〜１５％であり、ビードヒールから前記カーカス層の折り返し部の端部までの高さＨがタイヤ断面高さＳＨに対してＨ≦１／４×ＳＨの関係を満たし、前記カーカス層の本体部のタイヤ幅方向外側に、有機繊維の糸で構成されて前記カーカス層の本体部に沿って延在する補強層を備えることを特徴とする。
【発明の効果】
【０００８】
本発明では、ビードコアが上述の先細り形状を有するため、タイヤ径方向外側で適度にビードワイヤの巻き数が減少するので、ビードコアとして充分な性能を維持してタイヤの耐久性を確保しながら、ビードワイヤの使用量を低減してタイヤ重量の軽減を図り、転がり抵抗を低減することができる。また、この形状のビードコアに沿ってカーカス層が屈曲しながら折り返されるので、カーカス層の本体部と折り返し部とで囲まれた閉鎖領域内には実質的にビードコアのみが存在するようになり、ビードコア近傍のゴム量を削減してタイヤ重量を軽減し、転がり抵抗を低減することもできる。更に、カーカス層の折り返し部の端部がタイヤ断面高さＳＨに対して低い位置に配置されているので、カーカス層の使用量が抑制されて、これによってもタイヤ重量の軽減と転がり抵抗の低減を達成することができる。その一方で、カーカス層の本体部のタイヤ幅方向外側に、有機繊維の糸で構成されてカーカス層の本体部に沿って延在する補強層が設けられているので、サイドウォール部の剛性が過度に低下したり、サイドウォール部の耐久性が損なわれることを防止することができ、操縦安定性、乗心地性、耐カット性を充分に確保することができる。
【０００９】
本発明では、ビードヒールから補強層のタイヤ径方向内側端部までの高さＬａが、タイヤ断面高さＳＨに対して、Ｌａ≦１／２×ＳＨの関係を満たすことが好ましい。このように補強層の端部位置を設定することで、より効果的にサイドウォール部の剛性を補填することができ、操縦安定性、乗心地性、耐カット性を向上するには有利になる。
【００１０】
本発明では、ビードヒールから補強層のタイヤ径方向外側端部までの高さＬｂが、タイヤ断面高さＳＨに対して、１／４×ＳＨ≦Ｌｂ≦３／４×ＳＨの関係を満たすことが好ましい。このように補強層の端部位置を設定することで、より効果的にサイドウォール部の剛性を補填することができ、操縦安定性、乗心地性、耐カット性を向上するには有利になる。
【００１１】
本発明では、補強層のタイヤ径方向に沿って測定される長さＬｃが３０ｍｍ≦Ｌｃ≦５０ｍｍの関係を満たすことが好ましい。このように適度な大きさの補強層を設けることで、タイヤ重量の軽減効果や転がり抵抗の低減効果を良好に発揮しながら、効果的にサイドウォール部の剛性を補填して、操縦安定性、乗心地性、耐カット性を向上することができる。
【００１２】
本発明では、補強層の最大厚さＧａが０．５ｍｍ≦Ｇａ≦１．５ｍｍの関係を満たすことが好ましい。このように適度な厚さの補強層を設けることで、タイヤ重量の軽減効果や転がり抵抗の低減効果を良好に発揮しながら、効果的にサイドウォール部の剛性を補填して、操縦安定性、乗心地性、耐カット性を向上することができる。
【００１３】
本発明では、補強層を構成する有機繊維の糸がナイロン６、ナイロン６６、ポリエステル、ポリエチレンテレフタレート、アラミドからなる群から選ばれる１種で構成されることが好ましい。このように、ゴムシートや他の有機繊維に比べて質量が小さく低発熱性である材料を用いることで、タイヤ重量の軽減効果や転がり抵抗の低減効果を良好に発揮しながら、効果的にサイドウォール部の剛性を補填して、操縦安定性、乗心地性、耐カット性を向上することができる。
【００１４】
本発明では、補強層が、総繊度が３００ｄｔｅｘ〜８００ｄｔｅｘである有機繊維からなる平織シートで構成されていることが好ましい。このように、ゴムシートからなる補強層や他の構造の有機繊維補強層に比べて質量が小さく低発熱性である前述の平織シートを用いることで、タイヤ重量の軽減効果や転がり抵抗の低減効果を良好に発揮しながら、効果的にサイドウォール部の剛性を補填して、操縦安定性、乗心地性、耐カット性を向上することができる。
【００１５】
本発明において、各種寸法は、タイヤを正規リムにリム組みして、正規内圧を充填した状態で測定する。「正規リム」とは、タイヤが基づいている規格を含む規格体系において、当該規格がタイヤ毎に定めるリムであり、例えば、ＪＡＴＭＡであれば標準リム、ＴＲＡであれば“Ｄｅｓｉｇｎ  Ｒｉｍ”、或いはＥＴＲＴＯであれば“Ｍｅａｓｕｒｉｎｇ  Ｒｉｍ”とする。「正規内圧」とは、タイヤが基づいている規格を含む規格体系において、各規格がタイヤ毎に定めている空気圧であり、ＪＡＴＭＡであれば最高空気圧、ＴＲＡであれば表“ＴＩＲＥ  ＲＯＡＤ  ＬＩＭＩＴＳ  ＡＴ  ＶＡＲＩＯＵＳ  ＣＯＬＤ  ＩＮＦＬＡＴＩＯＮ  ＰＲＥＳＳＵＲＥＳ”に記載の最大値、ＥＴＲＴＯであれば“ＩＮＦＬＡＴＩＯＮ  ＰＲＥＳＳＵＲＥ”であるが、タイヤが乗用車用である場合には１８０ｋＰａとする。
【図面の簡単な説明】
【００１６】
【図１】本発明の実施形態からなる空気入りタイヤの子午線半断面図である。
【図２】本発明の別の実施形態からなる空気入りタイヤのビード部を示す断面図である。
【図３】本発明の別の実施形態からなるビードコアの模式図である。
【図４】本発明の別の実施形態からなる空気入りタイヤのビード部を示す断面図である。
【図５】本発明の別の実施形態からなる空気入りタイヤのビード部を示す断面図である。
【図６】従来例および比較例のビード構造を模式的に示す説明図である。
【発明を実施するための形態】
【００１７】
以下、本発明の構成について添付の図面を参照しながら詳細に説明する。
【００１８】
図１に示すように、本発明の空気入りタイヤは、トレッド部１と、このトレッド部１の両側に配置された一対のサイドウォール部２と、サイドウォール部２のタイヤ径方向内側に配置された一対のビード部３とを備えている。図１において、符号ＣＬはタイヤ赤道を示す。尚、図１は子午線断面図であるため描写されないが、トレッド部１、サイドウォール部２、ビード部３は、それぞれタイヤ周方向に延在して環状を成しており、これにより空気入りタイヤのトロイダル状の基本構造が構成される。また、子午線断面図における他のタイヤ構成部材についても、特に断りがない限り、タイヤ周方向に延在して環状を成している。
【００１９】
左右一対のビード部３間にはカーカス層４が装架されている。このカーカス層４は、タイヤ径方向に延びる複数本の補強コードを含み、各ビード部３に配置されたビードコア５の廻りに車両内側から外側に折り返されている。以降の説明では、トレッド部１から各サイドウォール部２を経て各ビード部３に至る部分を本体部４Ａ、各ビード部３においてビードコア５の廻りに折り返されて各サイドウォール部２側に向かって延在する部分を折り返し部４Ｂという。
【００２０】
トレッド部１におけるカーカス層４の外周側には複数層（図示の例では２層）のベルト層６が埋設されている。各ベルト層６は、タイヤ周方向に対して傾斜する複数本の補強コードを含む。この補強コードは層間で補強コードどうしが互いに交差するように配列されている。これらベルト層６において、補強コードのタイヤ周方向に対する傾斜角度は例えば１０°〜４０°の範囲に設定されている。更に、ベルト層６の外周側にはベルト補強層７が設けられている。特に、図示の例では、ベルト層６の全幅を覆うフルカバー層とベルト補強層７の両端部のみをそれぞれ覆うエッジカバー層の２層が設けられている。ベルト補強層７は、タイヤ周方向に配向する有機繊維コードを含む。ベルト補強層７において、有機繊維コードはタイヤ周方向に対する角度が例えば０°〜５°に設定されている。
【００２１】
本発明のビードコア５は、図２に拡大して示すように、タイヤ周方向に巻回された少なくとも１本のビードワイヤ５Ａからなり、ビードワイヤ５Ａの複数の周回部分がタイヤ幅方向に並ぶ少なくとも１つの列とタイヤ径方向に重なる複数の層を形成している。本発明では、子午線断面において上記のようにビードワイヤ５Ａの複数の周回部分が列と層を形成していれば、単一のビードワイヤ５Ａを連続的に巻回した所謂一本巻き構造であっても、複数本のビードワイヤ５Ａを引き揃えた状態で巻回した所謂層巻き構造であってもよい。図１，２の例では、タイヤ径方向最内側から順に３列の周回部分を含む層、４列の周回部分を含む層、３列の周回部分を含む層、２列の周回部分を含む層の計４層が積層された構造を有する。尚、以降の説明では、この構造を「３＋４＋３＋２構造」という。同様に、以降の説明では、ビードワイヤ５Ａの積層構造を、各層に含まれる列の数をタイヤ径方向最内側の層から順に「＋」で繋いだ同様の形式で表現する。図示の例のビードコア５では、ビードコア５Ａが俵積み状に積層されている。尚、「俵積み」とは、互いに接している３つの周回部分の中心が略正三角形を形成する積み方であり、六方充填配置と呼称されることもある充填率の高い積層構造である。
【００２２】
このとき、各ビードコア５について、子午線断面におけるビードワイヤ５Ａの複数の周回部分の共通接線によって形成された多角形をビードコア５の外郭形状（図中の破線）とすると、この外郭形状は、その最大幅位置よりもタイヤ径方向外側においてカーカス層に接する２辺（Ｌ１，Ｌ２）が成す角度θ１が鋭角になっており、ビードコア５全体としては最大幅となる部位からタイヤ径方向外側に向かって徐々に幅が狭まる先細り形状を有している（以下、この形状を指して「外径側楔形状」という場合がある）。図示の例の外郭形状は上述の３＋４＋３＋２構造を有するため全体として六角形状を有しており、前述のカーカス層に接する２辺が鋭角を成す点（カーカス層に接する２辺の延長線の交点Ｑ）に対向する位置でタイヤは幅方向に伸びる底辺（Ｌ３）を有している。
【００２３】
このような構造のビードコア５では、径方向外側に向かってビードワイヤ５Ａの巻き数が減少するので、ビードコア５として充分な性能を維持してタイヤの耐久性を確保しながら、ビードワイヤ５Ａの使用量を低減してタイヤ重量の軽減を図ることができる。尚、外郭形状内に含まれるビードワイヤ５Ａの周回部分の本数が同一であっても、従来の直列積み（タイヤ径方向に隣接する周回部分どうしが、周回部分の各層に対して垂直に積層された構造）と比べれば、本発明の外径側楔形状では、ビードワイヤ５Ａの周回部分が密に配されて、ビードワイヤ５Ａを被覆するインシュレーションゴムや複数のビードワイヤ５Ａの隙間を埋めるゴムの量を減少することができ、タイヤ重量の軽減を図ることができる。例えば、図１，２に示されるの３＋４＋３＋２構造と従来の直列積みの４＋４＋４構造（図６を参照）とでは、ビードワイヤ５Ａの周回部分の本数は同一であるが、上述のゴム量などによって軽量化を図ることができる。
【００２４】
カーカス層４は、上記のようにビードコア５の廻りに折り返されるものであるが、本発明のビードコア５は上述のように特殊な先細り形状（外径側楔形状）を有するため、カーカス層４はビードコア５の周縁に沿って屈曲する。例えば、図示の例では、ビードコア５が上述の設定を満たす結果、外郭形状が六角形状であり、カーカス層４はその周縁に沿って屈曲しながら延在している。尚、図示の例では、ビードコア５のタイヤ径方向外側（本体部４Ａと折り返し部４Ｂとが接触する点の付近）では、折り返し部４Ｂが激しく屈曲することを避けるため、ビードコア５の六角形状に対して、カーカス層４は略五角形状に屈曲している。更に、カーカス層４の折り返し部４Ｂのビードコア５のタイヤ径方向外側端よりもタイヤ径方向外側の部分は、カーカス層４の本体部４Ａに接触しながらカーカス層４の本体部４Ａに沿って各サイドウォール部２側に向かって延在している。その結果、カーカス層４の本体部４Ａと折り返し部４Ｂとによって、ビードコア５を囲む閉鎖領域が形成されている。
【００２５】
この閉鎖領域には、実質的にビードコア５のみが存在しており、従来の空気入りタイヤで用いられるようなビードフィラーまたはそれに類するタイヤ構成部材（ビードコア５のタイヤ径方向外側に配置されてカーカス層４の本体部４Ａと折り返し部４Ｂとによって包み込まれてビード部３からサイドウォール部２にかけての剛性を高める部材）は配置されない。即ち、ビードワイヤ５Ａを被覆するインシュレーションゴムや、ビードコア５とカーカス層４との間に形成される僅かな隙間を埋めるゴムは存在しても、従来の空気入りタイヤのような大きな体積を有するビードフィラーは用いられない。そのため、ビードコア５近傍のゴム量を削減してタイヤ重量を軽減することもできる。更に、カーカス層４が屈曲しながら折り返されるにあたって、ビードコア５が前述の外径側楔形状を有するため、カーカス層４が急激に屈曲して耐久性等に影響が出ることを回避することもできる。
【００２６】
このとき、子午線断面における閉鎖領域の面積Ａに対する閉鎖領域内に存在するゴムの総面積ａの比率（ａ／Ａ×１００％）を閉鎖領域のゴム占有率とすると、このゴム占有率は０．１％〜１５％に設定されている。閉鎖領域のゴム占有率が１５％よりも大きいと、実質的に従来の空気入りタイヤのビードフィラーが存在する場合と同等になり、タイヤ重量の軽減効果を更に高めることは難しくなる。尚、ビードコア５に関して通常用いられるゴム（ビードワイヤ５Ａを被覆するインシュレーションゴム等）を考慮すると、閉鎖領域のゴム占有率は基本的に０．１％未満になることはない。
【００２７】
前述のようにカーカス層４がビードコア５の廻りに折り返されるにあたって、カーカス層４の折り返し部４Ｂの端部は、タイヤ断面高さＳＨに対して低い位置に配置されている。具体的には、ビードヒールからカーカス層４の折り返し部４Ｂの端部までの高さＨがタイヤ断面高さＳＨに対してＨ≦１／４×ＳＨ、好ましくは１／８×ＳＨ≦Ｈ≦１／４×ＳＨの関係を満たしている。これによりカーカス層４の使用量も減少することができ、タイヤ重量の軽減を図るには有利になる。これら高さがＨ＞１／４×ＳＨの関係であると、カーカス層４の使用量を減少することができず、タイヤ重量の軽減効果を更に高めることは難しくなる。
【００２８】
本発明のビード部３では、ビードコア５よりもタイヤ径方向外側であってカーカス層４の本体部４Ａのタイヤ幅方向外側に有機繊維の糸で構成された補強層８が設けられる。この補強層８は、カーカス層４の本体部４Ｂに沿って延在している。このように補強層８を設けることで、サイドウォール部の剛性が過度に低下したり、サイドウォール部の耐久性が損なわれることを防止することができ、操縦安定性、乗心地性、耐カット性を充分に確保することができる。このとき、補強層８が有機繊維の糸で構成されているので、補強層８を追加することによるタイヤ重量の増加は低く抑えることができる。
【００２９】
尚、本発明において、「有機繊維の糸」としては、繊維を撚り合わせて構成されるヤーン（単糸）、複数本のヤーンを撚り合わせて構成されるストランド（小縄）、複数本のストランドを撚り合わせて構成されるコードやロープが想定されるが、なかでもヤーン（単糸）を好適に用いることができる。即ち、これら有機繊維の糸（特にヤーン）で構成されていれば、補強層８は例えばゴムシートと比較して質量が小さく低発熱性になるので、タイヤ重量の軽減効果や転がり抵抗の低減効果を良好に発揮しながら、効果的にサイドウォール部の剛性を補填して、操縦安定性、乗心地性、耐カット性を向上することができる。各種有機繊維の中でも、特に、ナイロン６、ナイロン６６、ポリエステル、ポリエチレンテレフタレート（ＰＥＴ）、アラミドからなる群から選ばれる１種は、他の有機繊維に比べて質量が小さく低発熱性であるので好適に用いることができる。
【００３０】
また、補強層８は総繊度が３００ｄｔｅｘ〜８００ｄｔｅｘである有機繊維の糸からなる平織シートで構成されていることが好ましい。このように、ゴムシートからなる補強層や他の構造の有機繊維補強層に比べて質量が小さく低発熱性である前述の平織シートを用いることで、タイヤ重量の軽減効果や転がり抵抗の低減効果を良好に発揮しながら、効果的にサイドウォール部の剛性を補填して、操縦安定性、乗心地性、耐カット性を向上することができる。このように、補強層８として平織シートを用いる場合、この平織シートを構成する有機繊維の糸がタイヤ周方向に対して４０°〜７０°の範囲で傾斜するように平織シートを貼り付けることが好ましい。
【００３１】
このように、本発明では、ビードコア５が上述の先細り形状（外径側楔形状）を有するため、タイヤ径方向外側で適度にビードワイヤ５Ａの巻き数が減少するので、ビードコア５として充分な性能を維持してタイヤの耐久性を確保しながら、ビードワイヤ５Ａの使用量を低減してタイヤ重量の軽減を図り、転がり抵抗を低減することができる。また、この形状のビードコア５に沿ってカーカス層４が屈曲しながら折り返されるので、カーカス層４の本体部４Ａと折り返し部４Ｂとで囲まれた閉鎖領域内には実質的にビードコア５のみが存在するようになり、ビードコア５近傍のゴム量を削減してタイヤ重量を軽減し、転がり抵抗を低減することもできる。更に、カーカス層４の折り返し部４Ｂの端部がタイヤ断面高さＳＨに対して低い位置に配置されているので、カーカス層４の使用量が抑制されて、これによってもタイヤ重量の軽減と転がり抵抗の低減を達成することができる。その一方で、カーカス層４の本体部４Ａのタイヤ幅方向外側に、有機繊維の糸で構成されてカーカス層４の本体部４Ａに沿って延在する補強層８が設けられているので、サイドウォール部２の剛性が過度に低下したり、サイドウォール部の耐久性が損なわれることを防止することができ、操縦安定性、乗心地性、耐カット性を充分に確保することができる。これらの協働により、本発明の空気入りタイヤは、タイヤ重量の軽減効果や転がり抵抗の低減効果を良好に発揮しながら、効果的にサイドウォール部の剛性を補填して、操縦安定性、乗心地性、耐カット性を向上することができる。
【００３２】
本発明のビードコア５の外径側楔形状は、図２に示すように、ビードコア５の最大幅をＷ０、タイヤ径方向最内側の層の幅をＷ１、タイヤ径方向最外側の層の幅をＷ２としたとき、これら幅がＷ１＞Ｗ２かつＷ２≦０．５×Ｗ０の関係を満たす形状である。また、ビードコア５を構成する複数の層のうち最大幅Ｗ０となる層がビードコア５のタイヤ径方向中心位置よりもタイヤ径方向内側に位置するものである。尚、幅Ｗ０〜Ｗ２はいずれも、図示のように、各層のタイヤ幅方向両外側の周回部分のタイヤ幅方向外側端間のタイヤ幅方向に沿った長さである。幅Ｗ０、Ｗ１、Ｗ２が上述の関係を満たさないとビードコア５の形状が不適当になりビード部３の形状を安定させることができない。特に、Ｗ１≦Ｗ２やＷ２＞０．５×Ｗ０という関係であると、ビードコア５の上端の幅が大きくなるため、リムフランジが当接する部位の近傍の剛性が高まってリムフランジが当接する部位を支点とした回転力に起因するリム外れを抑制することが難しくなり耐リム外れ性が低下する。
【００３３】
ビードコア５の具体的な形状は、上述の関係を満たしていれば、特に限定されない。例えば、図３に示す形状を採用することができる。図３の例は、いずれも上述の関係を満たすので、本発明の「外径楔形状」に該当するものである。詳述すると、図３（ａ）は俵積みの５＋４＋３＋２＋１構造を有し、図３（ｂ）は俵積みの４＋５＋４＋３＋２＋１構造を有し、図３（ｃ）は俵積みの３＋４＋４＋３＋２＋１構造を有し、図３（ｄ）はタイヤ径方向最内側から２番目の層とそのタイヤ径方向内側に隣接する層とが俵積みではなく直列積みになった３＋４＋４＋３＋２＋１構造を有する。
【００３４】
このような様々な形状のビードコア５のなかでも、外郭形状の底辺の両端に位置する角部の内角θ２が好ましくは９０°以上、より好ましくは１００°以上１５０°以下であるとよい。即ち、図３の例の中では、図３（ｂ）〜（ｄ）の構造が好ましい。このように内角θ２を設定することで、加硫時にビードワイヤ５Ａの配列が乱れることを防止して加硫後のビードコア５の形状を良好にすることができ、優れた剛性を確保しながらタイヤ重量を軽減するには有利になる。内角θ２が９０°未満であるとビードワイヤ５Ａの巻き数を充分に減少することができずタイヤ重量の軽減効果が低下する。また、内角θ２が９０°未満であると外郭形状の底辺の両端に位置するビードワイヤ５Ａが加硫時のゴム流れの影響を受け易くなり、加硫後のビードコア５の形状を良好に維持することが難しくなる。
【００３５】
図３に示したいずれの構造も、少なくとも一部が俵積み状に積層されているため、全体が直列積みで積層された構造のビードワイヤよりも、ビードワイヤ５Ａを密に配してビードワイヤ５Ａの充填率を高めることができる。その結果、ビード部３の剛性や耐圧性能を良好に確保して走行性能を維持しながら、タイヤ重量を軽減し、これら性能をバランスよく発揮することができる。ビードワイヤ５Ａの充填率に着目すると、図３（ａ）〜（ｃ）のようにすべてのビードワイヤ５Ａが俵積み状に積層されることが好ましい。
【００３６】
また、ビードコア５の形状に関して、ビードコア５全体の形状の安定性を高めるには、ビードコア５全体の形状をビードコア５のタイヤ幅方向中心に対して線対称にすることが好ましい。この観点からは、図３（ａ），（ｂ），（ｄ）のような形状が好ましい。
【００３７】
これら様々なビードコア５の形状は、上述の様々な観点に基づいて、空気入りタイヤ全体の構造や重視する特性等を考慮して適宜選択することができる。
【００３８】
ビードワイヤ５Ａ自体の構造については特に限定されないが、タイヤ重量の軽減と耐リム外れ性の向上を両立すること鑑みると、平均直径を好ましくは０．８ｍｍ〜１．８ｍｍ、より好ましくは１．０ｍｍ〜１．６ｍｍ、更に好ましくは１．１ｍｍ〜１．５ｍｍにするとよい。ビードワイヤ５Ａの平均直径が０．８ｍｍよりも小さいと耐リム外れ性を向上する効果が限定的になり、ビードワイヤ５Ａの平均直径が１．８ｍｍよりも大きいとタイヤ重量を軽減する効果が限定的になる。
【００３９】
補強層８は、カーカス層４の本体部４Ａのタイヤ幅方向外側で、カーカス層４の本体部４Ｂに沿って延在するものであるが、ビードヒールから補強層８のタイヤ径方向内側端部までの高さＬａが、タイヤ断面高さＳＨに対して、好ましくはＬａ≦１／２×ＳＨ、より好ましくは１／８×ＳＨ≦Ｌａ≦１／２×ＳＨの関係を満たすとよい。このように補強層８の端部位置を設定することで、より効果的にサイドウォール部２の剛性を補填することができ、操縦安定性、乗心地性、耐カット性を向上するには有利になる。これら高さの関係がＬａ＞１／２×ＳＨであると、補強層８が適切な位置を被覆できなくなり、操縦安定性、乗心地性、耐カット性を向上する効果が充分に得られない。
【００４０】
また、ビードヒールから補強層８のタイヤ径方向外側端部までの高さＬｂが、タイヤ断面高さＳＨに対して、好ましくは１／４×ＳＨ≦Ｌｂ≦３／４×ＳＨ、より好ましくは３／８×ＳＨ≦Ｌｂ≦３／４×ＳＨの関係を満たすとよい。このように補強層８の端部位置を設定することで、より効果的にサイドウォール部の剛性を補填することができ、操縦安定性、乗心地性、耐カット性を向上するには有利になる。これら高さの関係が１／４×ＳＨ＞Ｌｂであると、補強層８が被覆できる範囲が小さくなり、サイドウォール部２の剛性を充分に向上できず、操縦安定性、乗心地性、耐カット性を向上する効果が充分に得られない。これら高さの関係がＬｂ＞３／４×ＳＨであると、補強層８が被覆する範囲が過大になり、上述のタイヤ重量の軽減効果を損なう虞がある。
【００４１】
補強層８は、タイヤ径方向に沿って測定される長さＬｃが好ましくは３０ｍｍ≦Ｌｃ≦５０ｍｍ、より好ましくは３５ｍｍ≦Ｌｃ≦４５ｍｍの関係を満たすとよい。このように適度な大きさの補強層８を設けることで、タイヤ重量の軽減効果や転がり抵抗の低減効果を良好に発揮しながら、効果的にサイドウォール部の剛性を補填して、操縦安定性、乗心地性、耐カット性を向上することができる。長さＬｃが３０ｍｍ未満であると、補強層８が小さすぎて、サイドウォール部２の剛性を充分に向上できず、操縦安定性、乗心地性、耐カット性を向上する効果が充分に得られない。長さＬｃが５０ｍｍを超えると、補強層８が大きすぎて、上述のタイヤ重量の軽減効果を損なう虞がある。
【００４２】
補強層８は、タイヤ中における最大厚さＧａが好ましくは０．５ｍｍ≦Ｇａ≦１．５ｍｍの関係を満たすとよい。このように適度な厚さの補強層８を設けることで、タイヤ重量の軽減効果や転がり抵抗の低減効果を良好に発揮しながら、効果的にサイドウォール部の剛性を補填して、操縦安定性、乗心地性、耐カット性を向上することができる。最大厚さＧａが０．５ｍｍ未満であると、補強層８が薄すぎて、サイドウォール部２の剛性を充分に向上できず、操縦安定性、乗心地性、耐カット性を向上する効果が充分に得られない。最大厚さＧａが１．５ｍｍを超えると、補強層８が厚すぎて、上述のタイヤ重量の軽減効果を損なう虞がある。
【００４３】
上述の端部位置等を満足する補強層８は、図１および図４〜５に示すように、様々な配置をすることができる。図４の例では、補強層８の下端がビードコア５の近傍まで達しており、カーカス層４の本体部４Ａと折り返し部４Ｂとが重複する領域においては、補強層８は本体部４Ａおよび折り返し部４Ｂの両方のタイヤ幅方向外側において、本体部４Ａおよび折り返し部４Ｂの両方に沿って延在し、且つ、カーカス層４の本体部４Ａのみが存在する領域においては、補強層８は本体部４Ａのタイヤ幅方向外側で本体部４Ａに沿って延在している。また、図５の例では、補強層８の下端がビードコア５の近傍まで達しているが、カーカス層４の本体部４Ａと折り返し部４Ｂとが重複する領域においては、補強層８は本体部４Ａおよび折り返し部４Ｂの間に挟まれるように延在し、且つ、カーカス層４の本体部４Ａのみが存在する領域においては、補強層８は本体部４Ａのタイヤ幅方向外側で本体部４Ａに沿って延在している。一方、図１の例では、補強層８の下端がカーカス層４の本体部４Ａと折り返し部４Ｂとが重複する領域まで達していないため、補強層８はカーカス層４の本体部４Ａタイヤ幅方向外側で本体部４Ａに沿って延在している。いずれの構造においても、補強層８を追加することによるタイヤ重量の軽減効果や転がり抵抗の低減効果への影響を抑えながら、効果的にサイドウォール部の剛性を補填して、操縦安定性、乗心地性、耐カット性を向上することができる。
【実施例】
【００４４】
タイヤサイズが１５５／６５Ｒ１４であり、図１に示す基本構造を有し、ビードコアの構造、ビードフィラーの有無、カーカス層の本体部と折り返し部とで形成された閉鎖領域の面積に対する閉鎖領域内に存在するゴムの総面積の比率（ゴム占有率）、補強層の有無、有機繊維の種類、補強層を構成する有機繊維の糸の繊度、補強層の構造、ビードヒールからカーカス層の折り返し部の端部までの高さ（タイヤ断面高さに対する比率Ｈ／ＳＨ）、ビードヒールから補強層のタイヤ径方向内側端部までの高さ（タイヤ断面高さに対する比率Ｌａ／ＳＨ）、ビードヒールから補強層のタイヤ径方向外側端部までの高さ（タイヤ断面高さに対する比率Ｌｂ／ＳＨ）、補強層のタイヤ径方向に沿って測定される長さＬｃ、補強層の最大厚さＧａを表１〜２のように設定して、従来例１、比較例１〜２、実施例１〜１５の１８種類の空気入りタイヤを作製した。
【００４５】
尚、表１〜２の「ビードコアの構造」の欄については、対応する図面の番号を示した。
【００４６】
これら空気入りタイヤについて、下記の評価方法により、タイヤ質量、低転がり抵抗性、操縦安定性、乗心地性、耐カット性を評価し、その結果を表１〜２に併せて示した。
【００４７】
タイヤ質量
各試験タイヤについて５本の質量を測定し、その平均値を求めた。評価結果は、従来例１の値の逆数を１００とする指数にて示した。この指数値が大きいほどタイヤ質量が小さいことを意味する。
【００４８】
低転がり抵抗性
各試験タイヤを、リムサイズ１４×４．５Ｊのホイールに組み付け、ＩＳＯ２８５８０に準拠して、ドラム径１７０７．６ｍｍのドラム試験機を用い、空気圧２４０ｋＰａ、荷重４．８２ｋＮ、速度８０ｋｍ／ｈの条件で転がり抵抗を測定した。評価結果は、従来例１の測定値の逆数を１００とする指数にて示した。この指数値が大きいほど転がり抵抗が低いことを意味する。
【００４９】
操縦安定性
各試験タイヤを、リムサイズ１４×４．５Ｊのホイールに組み付け、空気圧を２４０ｋＰａとして、試験車両に装着し、舗装路面において操縦安定性についてテストドライバーによる官能評価を行った。評価結果は、それぞれ従来例１の値を１００とする指数にて示した。この指数値が大きいほど操縦安定性が優れることを意味する。尚、指数値が「９６」以上であれば、ビードフィラーを有する従来例１と同等の良好な操縦安定性を維持したことを意味する。
【００５０】
乗心地性
各試験タイヤを、リムサイズ１４×４．５Ｊのホイールに組み付け、空気圧を２４０ｋＰａとして、試験車両に装着し、舗装路面において乗心地性についてテストドライバーによる官能評価を行った。評価結果は、それぞれ従来例１の値を１００とする指数にて示した。この指数値が大きいほど操縦安定性が優れることを意味する。尚、指数値が「９５」以上であれば、ビードフィラーを有する従来例１と同等の良好な乗心地性を維持したことを意味する。
【００５１】
耐カット性
各試験タイヤを、リムサイズ１４×４．５Ｊのホイールに組み付け、空気圧を２４０ｋＰａとして、試験車両に装着し、速度１０ｋｍ／ｈで高さ１１０ｍｍの縁石に対して３０°の角度で進入させて、この縁石を乗り越したときのタイヤサイドウォール部の損傷（ピンチカット）の程度（損傷の長さおよび深さ）を評価した。評価結果は、測定値の逆数を用い、従来例１を１００とする指数にて示した。この指数値が大きいほど、損傷の長さおよび深さが小さく、耐カット性が良好であることを意味する。尚、指数値が「９７」以上であれば、ビードフィラーを有する従来例１と同等の良好な耐カット性を維持したことを意味する。
【００５２】
【表１】
2020131873.tif 000003
【００５３】
【表２】
2020131873.tif 000004
【００５４】
表１〜２から明らかなように、実施例１〜１５はいずれも、従来例１に対して、タイヤ質量を軽減すると共に転がり抵抗を低減し、操縦安定性、乗心地性、および耐カット性をビードフィラーを有する従来例１以上に良好に維持または改善した。一方、比較例１は、補強層を有さないため、操縦安定性、乗心地性、耐カット性が悪化した。比較例２は、カーカス層の巻き上げ高さが高いため、従来例１と同等の操縦安定性、乗心地性、耐カット性は確保できたが、タイヤ質量が増大し、低転がり抵抗性が悪化した。
【符号の説明】
【００５５】
１  トレッド部
２  サイドウォール部
３  ビード部
４  カーカス層
４Ａ  本体部
４Ｂ  折り返し部
５  ビードコア
６  ベルト層
７  ベルト補強層
８  補強層
ＣＬ  タイヤ赤道
【図１】
2020131873.tif 000005
【図２】
2020131873.tif 000006
【図３】
2020131873.tif 000007
【図４】
2020131873.tif 000008
【図５】
2020131873.tif 000009
【図６】
2020131873.tif 000010